【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
釣用リール本体に回転自在に設けられるスプール軸と、前記スプール軸に装着されるスプールとから構成される釣用リールのスプールユニットであって、
前記スプール及び前記スプール軸のいずれか一方に設けられ、前記スプール軸に沿う方向に切欠かれた切欠部と、
前記スプール及び前記スプール軸のいずれか他方に設けられ、前記切欠部に係合する突出部と、
を備える釣用リールのスプールユニット。
【請求項２】
前記切欠部は、前記スプール軸に沿う方向に開口する開口端部と、前記スプール軸の回転方向において前記突出部が当接する第１当接部と、前記スプール軸に沿う方向において前記突出部が当接する第２当接部とを、有している、
請求項１に記載の釣用リールのスプールユニット。
【請求項３】
前記スプールは、前記スプール軸に装着するための装着部を、有し、
前記スプール軸は、軸本体部と、前記軸本体部の外周に設けられ前記スプールが装着される被装着部とを、有し、
前記切欠部は、前記スプール軸に沿う方向において、前記装着部及び被装着部のいずれか一方の端部に、設けられている
請求項１又は２に記載の釣用リールのスプールユニット。
【請求項４】
前記切欠部は、前記スプールの前記装着部の端部に、設けられている、
請求項３に記載の釣用リールのスプールユニット。
【請求項５】
前記切欠部は、前記スプール軸の前記被装着部の端部に、設けられている、
請求項３に記載の釣用リールのスプールユニット。
【請求項６】
前記切欠部は、前記スプール軸に沿う方向に設けられた溝部の一部である、
請求項５に記載の釣用リールのスプールユニット。
【請求項７】
前記切欠部は、前記スプール軸の回転方向において前記突出部が当接する第１当接部と、前記スプール軸に沿う方向において前記突出部が当接する第２当接部とを、有し、
前記溝部は、前記スプール軸の回転方向に設けられた第１壁部と、前記スプール軸に沿う方向に設けられた第２壁部とを、有し、
前記第１壁部は前記１当接部を含んでおり、前記第２壁部は前記第２当接部を含んでいる、
請求項６に記載の釣用リールのスプールユニット。
【請求項８】
前記突出部は、前記スプール軸の径方向に突出して設けられている、
請求項１から７のいずれか１項に記載の釣用リールのスプールユニット。
【請求項９】
前記スプール及び前記スプール軸のいずれか一方は、前記スプール軸の径方向に設けられた装着孔を有し、
前記突出部は、前記装着孔に装着された突出ピンである、
請求項１から８のいずれか１項に記載の釣用リールのスプールユニット。
【請求項１０】
前記突出ピンは、前記装着孔にカシメ固定されている、
請求項９に記載の釣用リールのスプールユニット。
【請求項１１】
前記突出ピンは、前記装着孔に接着固定されている、
請求項９に記載の釣用リールのスプールユニット。
【請求項１２】
前記装着孔は、雌ねじ部を有し、
前記突出ピンは、前記雌ねじ部に螺合する雄ネジを有し、
前記突出ピンは、前記装着孔に螺合固定されている、
請求項９に記載の釣用リールのスプールユニット。
【請求項１３】
前記装着孔は、前記スプール軸に設けられ、前記スプール軸を径方向に貫通する貫通孔であり、
前記突出ピンは前記スプール軸の直径より長く、
前記突出ピンが前記貫通孔に装着された状態において、前記突出ピンの両端部の少なくともいずれか一方が、前記スプール軸より突出する、
請求項９から１２のいずれか１項に記載の釣用リールのスプールユニット。
【請求項１４】
前記スプールは、前記スプール軸に装着するための装着部を有し、
前記突出部は、前記スプール軸に沿う方向における前記装着部の端部が、前記スプール軸に向けて部分的に折り曲げられた折曲部である、
請求項８に記載の釣用リールのスプールユニット。
【請求項１５】
前記折曲部は、前記スプール軸の回転方向において前記切欠部と当接する第３当接部と、前記スプール軸に沿う方向において前記切欠部が当接する第４当接部とを、有する、
請求項１４に記載の釣用リールのスプールユニット。
【手続補正２】
【補正対象書類名】明細書
【補正対象項目名】全文
【補正方法】変更
【補正の内容】
【発明の詳細な説明】
【発明の名称】釣用リールのスプールユニット
【技術分野】
【０００１】
本発明は、釣用リールのスプールユニット、特に、釣用リール本体に回転自在に設けられるスプール軸と、前記スプール軸に装着されるスプールとから構成される釣用リールのスプールユニットに関する。
【背景技術】
【０００２】
釣用リール例えば両軸受リールは、リール本体と、スプールユニットとを、備えている。スプールユニットは、リール本体に回転自在に装着されるスプール軸と、スプール軸に装着されるスプールとを、有している（特許文献１を参照）。スプールは、糸巻き胴部と、糸巻き胴部の両端に設けられたフランジ部とを、有している。スプールは、スプール軸と一体回転可能に装着される。詳細には、糸巻き胴部の貫通孔に配置された係止ピンが、スプール軸の係合穴に係合させることによって、スプールはスプール軸に装着される。
【先行技術文献】
【特許文献】
【０００３】
【特許文献１】特許第４３０７６５５号公報
【発明の概要】
【発明が解決しようとする課題】
【０００４】
従来のスプールユニットでは、スプールをスプール軸に装着する場合、まず、スプールの内周部において軸方向に形成された軸装着孔に、スプール軸が挿通される。次に、スプールの糸巻き胴部を径方向に貫通した貫通孔と、スプール軸の係合穴とが、位置合わせされる。次に、係止ピンが、スプールの糸巻き胴部の貫通孔に挿通され、係止ピンの先端部がスプール軸の係合穴に係合される。しかしながら、この場合、スプールの軸装着孔にスプール軸が挿通されると、スプール軸の係合穴はスプールの軸装着孔の内部に配置されるので、スプールの貫通孔とスプール軸の係合穴との位置合わせを行うのが難しい。すなわち、スプールをスプール軸に装着する場合の組立て効率が、低下するという問題があった。
【０００５】
本発明は、上記のような問題に鑑みてなされたものであって、本発明の目的は、釣用リールのスプールユニットを容易に組み立てることができるようにすることにある。
【課題を解決するための手段】
【０００６】
発明１に係る釣用リールのスプールユニットは、スプール軸と、スプールとから構成される。スプール軸は、釣用リール本体に回転自在に設けられる。スプールは、スプール軸に装着される。スプールユニットは、切欠部と、突出部とを、有している。切欠部は、スプール及びスプール軸のいずれか一方に設けられる。切欠部は、スプール軸に沿う方向に切欠かれている。突出部は、スプール及びスプール軸のいずれか他方に設けられる。突出部は、切欠部に係合する。
【０００７】
本スプールユニットでは、突出部が係合する切欠部が、スプール軸に沿う方向に切欠かれている。このため、スプールをスプール軸に装着する場合、スプール軸をスプールに挿通するだけで、突出部を切欠部に容易に係合することができる。すなわち、スプールをスプール軸に装着する際に、突出部と切欠部とを視認しながら係合させることができるので、スプールユニットを容易に組み立てることができる。
【０００８】
発明２に係る釣用リールのスプールユニットでは、発明１に記載のスプールユニットにおいて、切欠部が、開口端部と、第１当接部と、第２当接部とを、有している。開口端部は、スプール軸に沿う方向に開口する。第１当接部には、スプール軸の回転方向において、突出部が当接する。第２当接部には、スプール軸に沿う方向において、突出部が当接する。
【０００９】
この場合、突出部を開口部から切欠部に挿入し、この突出部を第２当接部に当接させることによって、スプール軸に沿う方向に対して、スプールが位置決めされる。また、この状態において、この突出部は、第１当接部によって、スプール軸の回転方向に対して位置決めされる。このように、スプールをスプール軸に対して、容易に位置決めすることができる。
【００１０】
発明３に係る釣用リールのスプールユニットでは、発明１又は２に記載のスプールユニットにおいて、スプールが、スプール軸に装着するための装着部を、有している。スプール軸は、軸本体部と、被装着部とを、有している。被装着部は、軸本体部の外周に設けられ、スプールが装着される。切欠部は、スプール軸に沿う方向において、装着部及び被装着部のいずれか一方の端部に、設けられる。
【００１１】
この場合、切欠部が、スプール軸に沿う方向において、スプールの装着部及びスプール軸の被装着部のいずれか一方の端部に、設けられているので、スプールの装着部をスプール軸の被装着部に装着することによって、突出部を切欠部に容易に係合することができる。すなわち、スプールユニットを容易に組み立てることができる。
【００１２】
発明４に係る釣用リールのスプールユニットでは、発明３に記載のスプールユニットにおいて、切欠部が、スプールの装着部の端部に、設けられている。
【００１３】
この場合、スプール軸の突出部を、スプールの装着部の端部の切欠部に係合することによって、スプールユニットを容易に組み立てることができる。
【００１４】
発明５に係る釣用リールのスプールユニットでは、発明３に記載のスプールユニットにおいて、切欠部が、スプール軸の被装着部の端部に、設けられている。
【００１５】
この場合、スプールの突出部を、スプール軸の被装着部の端部の切欠部に係合することによって、スプールユニットを容易に組み立てることができる。
【００１６】
発明６に係る釣用リールのスプールユニットでは、発明５に記載のスプールユニットにおいて、切欠部が、スプール軸に沿う方向に設けられた溝部の一部である。
【００１７】
この場合、スプールの突出部を、スプール軸の溝部に沿って移動させ、溝部の端部に係合することによって、スプールユニットを容易に組み立てることができる。
【００１８】
発明７に係る釣用リールのスプールユニットでは、発明６に記載のスプールユニットにおいて、切欠部が、第１当接部と、第２当接部とを、有している。第１当接部には、スプール軸の回転方向において、突出部が当接する。第２当接部には、スプール軸に沿う方向において、突出部が当接する。溝部は、第１壁部と、第２壁部とを、有している。第１壁部は、スプール軸の回転方向に設けられている。第２壁部は、スプール軸に沿う方向に設けられている。ここで、第１壁部は１当接部を含んでおり、第２壁部は第２当接部を含んでいる。
【００１９】
この場合、突出部を溝部に沿って切欠部に挿入し、この突出部を、スプール軸の切欠部の第２当接部（溝部の第２壁部）に当接させることによって、スプール軸に沿う方向に対して、スプールが位置決めされる。また、この状態において、この突出部は、スプール軸の切欠部の第１当接部（溝部の第１壁部）によって、スプール軸の回転方向に対して位置決めされる。このように、スプールをスプール軸に対して、容易に位置決めすることができる。
【００２０】
発明８に係る釣用リールのスプールユニットでは、発明１から７のいずれか１項に記載のスプールユニットにおいて、突出部が、スプール軸の径方向に突出して設けられている。
【００２１】
この場合、突出部が、スプール軸の径方向に突出して設けられているので、スプール軸をスプールに挿通するだけで、突出部を切欠部に容易に係合することができる。すなわち、スプールユニットを容易に組み立てることができる。
【００２２】
発明９に係る釣用リールのスプールユニットでは、発明１から８のいずれか１項に記載のスプールユニットにおいて、スプール及びスプール軸のいずれか一方が、スプール軸の径方向に設けられた装着孔を、有している。突出部は、装着孔に装着された突出ピンである。
【００２３】
この場合、突出ピンを、スプール及びスプール軸のいずれか一方に設けられた装着孔に、装着するだけで、突出部を容易に形成することができる。
【００２４】
発明１０に係る釣用リールのスプールユニットでは、発明９に記載のスプールユニットにおいて、突出ピンが、装着孔にカシメ固定されている。
【００２５】
この場合、突出ピンを装着孔にカシメ固定することによって、他の部材を特別に用意することなく、突出部を容易に形成することができる。また、これにより、突出ピンを容易に固定することができる。
【００２６】
発明１１に係る釣用リールのスプールユニットでは、発明９に記載のスプールユニットにおいて、突出ピンが、装着孔に接着固定されている。
【００２７】
この場合、突出ピンを装着孔に接着固定することによって、突出ピンを容易に固定することができる。
【００２８】
発明１２に係る釣用リールのスプールユニットでは、発明９に記載のスプールユニットにおいて、装着孔が、雌ねじ部を有している。突出ピンは、雌ねじ部に螺合する雄ネジを、有している。突出ピンは、装着孔に螺合固定されている。
【００２９】
この場合、突出ピンを装着孔に螺合固定することによって、突出ピンを容易且つ確実に固定することができる。
【００３０】
発明１３に係る釣用リールのスプールユニットでは、発明９から１２のいずれか１項に記載のスプールユニットにおいて、装着孔が、スプール軸に設けられる。装着孔は、スプール軸を径方向に貫通する貫通孔である。突出ピンは、スプール軸の直径より長い。突出ピンが貫通孔に装着された状態において、突出ピンの両端部の少なくともいずれか一方は、スプール軸より突出する。
【００３１】
この場合、突出ピンを貫通孔に装着することによって、突出ピンの両端部の少なくともいずれか一方が、スプール軸より突出するので、突出部を容易に形成することができる。
【００３２】
発明１４に係る釣用リールのスプールユニットでは、発明８に記載のスプールユニットにおいて、スプールが、スプール軸に装着するための装着部を、有している。突出部は、折曲部である。突出部すなわち折曲部は、スプール軸に沿う方向における装着部の端部が、スプール軸に向けて部分的に折り曲げられて、形成される。
【００３３】
この場合、スプール軸に沿う方向における装着部の端部を、スプール軸に向けて部分的に折り曲げることによって、突出部を容易に形成することができる。
【００３４】
発明１５に係る釣用リールのスプールユニットでは、発明１４に記載のスプールユニットにおいて、折曲部が、第３当接部と、第４当接部とを、有している。第３当接部は、スプール軸の回転方向において、切欠部と当接する。第４当接部は、スプール軸に沿う方向において、切欠部が当接する。
【００３５】
この場合、折曲部の第３当接部が切欠部と当接することによって、スプール軸の回転方向に対して、スプールが位置決めされる。また、折曲部の第４当接部が切欠部と当接することによって、スプール軸に沿う方向に対して、スプールが位置決めされる。このように、スプールをスプール軸に対して、容易に位置決めすることができる。
【発明の効果】
【００３６】
本発明によれば、釣用リールのスプールユニットを、容易に組み立てることができる。
【図面の簡単な説明】
【００３７】
【図１】本発明の第１実施形態による両軸受リールの斜視図。
【図２】その右側面図。
【図３】図２の切断線III−IIIによる断面図。
【図４】図２の切断線IＶ−ＩＶによる断面図。
【図５】スプールユニットの部分拡大斜視図。
【図６】スプールユニットの断面図。
【図７】スプール軸の部分拡大斜視図。
【図８】スプール軸の部分拡大断面図。
【図９】本発明の第２実施形態によるスプールユニットの断面図。
【図１０Ａ】本発明の第３実施形態によるスプールユニットの断面図。
【図１０Ｂ】本発明の第３実施形態によるスプールの軸装着部の側面図。
【図１０Ｃ】本発明の第３実施形態によるスプール軸の断面図。
【発明を実施するための形態】
【００３８】
＜第１実施形態＞
１．リールの全体構成
本発明の実施形態による両軸受リール１０は、図１から図４に示すように、ベイトキャスト用の両軸受リールである。このリールは、リール本体１１と、リール本体１１の側方に配置されたスプールを回転駆動するためのハンドル１２と、ハンドル１２のリール本体１１側に配置されたドラグ調整用のスタードラグ１３と、スプール１４及びスプール軸２０とから構成されるスプールユニット９とを、備えている。
【００３９】
ハンドル１２は、アーム部１２ａと、アーム部１２ａの両端に回転自在に装着された把手１２ｂとを、有する。アーム部１２ａは、駆動軸３０の先端に回転不能に装着されており、ナット２８により駆動軸３０に締結されている。ハンドル１２は後述する第２側カバー１６ｂ側に配置される。
【００４０】
２．リール本体の構成
リール本体１１は、たとえばマグネシウム合金などの軽金属製の部材である。図１から図４に示すように、リール本体１１は、フレーム１５と、フレーム１５の両側方に装着された第１側カバー１６ａ及び第２側カバー１６ｂと、軸支持部３５と、を有している。リール本体１１の内部には、スプール１４が、スプール軸２０を介して、回転自在に装着されている。第１側カバー１６ａは、第１側板１５ａに着脱可能に装着され、第１側板１５ａの外側を覆う。第２側カバー１６ｂは、第２側板１５ｂにネジ止め固定され、第２側板１５ｂの外側を覆う。
【００４１】
図１から図４に示すように、フレーム１５内には、スプール１４と、サミングを行う場合の親指の当てとなるクラッチ操作部材１７と、スプール１４内に均一に釣り糸を巻くためのレベルワインド機構１８とが、配置されている。
【００４２】
また、フレーム１５と第２側カバー１６ｂとの間には、ギア機構１９と、クラッチ機構２１と、クラッチ制御機構２２と、ドラグ機構２３と、キャスティングコントロール機構２４とが、配置されている。
【００４３】
ギア機構１９は、ハンドル１２からの回転力をスプール１４及びレベルワインド機構１８に伝えるために設けられる。ギア機構１９は、図４に示すように、駆動軸３０と、駆動軸３０に固定された駆動ギア３１と、駆動ギア３１に噛み合う筒状のピニオンギア３２とを、有している。駆動軸３０は、第２側板１５ｂ及び第２側カバー１６ｂに、回転自在に装着されている。駆動軸３０は、ローラ型のワンウェイクラッチ５０により、糸繰り出し方向の回転（逆転）が禁止されている。ローラ型のワンウェイクラッチ５０は、第２側カバー１６ｂと駆動軸３０との間に、装着されている。駆動ギア３１は、駆動軸３０に回転自在に装着されており、駆動軸３０とドラグ機構２３を介して連結されている。
【００４４】
クラッチ機構２１は、スプール１４とハンドル１２とを連結及び遮断するために設けられている。クラッチ制御機構２２は、クラッチ操作部材１７の操作に応じて、クラッチ機構２１を制御するために設けられている。クラッチ制御機構２２は、図３に示すように、ピニオンギア３２をスプール軸２０方向に沿って移動させるクラッチヨーク４５を、有している。クラッチ操作部材１７がクラッチオフ位置に操作されると、クラッチヨーク４５は、ピニオンギア３２をクラッチオフ位置に移動させる。また、クラッチ制御機構２２は、スプール１４の糸巻き取り方向の回転に連動してクラッチ機構２１をクラッチオンさせる図示しないクラッチ戻し機構を、有している。
【００４５】
クラッチ操作部材１７は、図１に示すように、第１側板１５ａ及び第２側板１５ｂの間の後部でスプール１４後方に配置されている。クラッチ操作部材１７は、クラッチ制御機構２２に連結されている。クラッチ操作部材１７をスライドさせることによって、クラッチ機構２１が、連結状態と遮断状態とに切り換えられる。ドラグ機構２３は、スプール１４の糸繰り出し方向の回転を制動するために設けられる。キャスティングコントロール機構２４は、スプール１４の回転時の抵抗力を調整するために設けられる。
【００４６】
スプール制動装置２６は、遠心力の作用によって、キャスティング時のバックラッシュを抑える。スプール制動装置２６は、フレーム１５と第１側カバー１６ａとの間に配置されている。スプール制動装置２６は、図３に示すように、ブレーキドラム６６と、回転部材６２と、複数（例えば、６個）のブレーキシュー６４と、を備えている。ブレーキドラム６６は、ブレーキシュー６４の径方向内方において、軸支持部３５に支持されている。回転部材６２は、スプール軸２０に圧入等の適宜の固定手段により、一体回転可能に連結されている。ブレーキシュー６４は、スプール軸２０と食い違う軸回りに揺動可能に、回転部材６２に装着されている。スプール制動装置２６では、スプール１４が回転すると、ブレーキシュー６４が、遠心力によって揺動し、ブレーキドラム６６に接触する。これにより、スプール１４の回転が、制動される。
【００４７】
ピニオンギア３２は、図３及び図４に示すように、第２側板１５ｂを貫通して、スプール軸２０方向に延びる。ピニオンギア３２は、中心にスプール軸２０が貫通する筒状部材である。ピニオンギア３２は、第２側板１５ｂ及び第２側カバー１６ｂに対して、回転自在且つ軸方向に移動自在に装着されている。ピニオンギア３２は、軸受５２及び軸受５４によって支持されている。ピニオンギア３２の一端（図４左端）には、クラッチピン２１ａに係合する係合溝３２ａが、形成されている。このピニオンギア３２とクラッチピン２１ａによって、クラッチ機構２１が構成される。ピニオンギア３２は、クラッチ制御機構２２によって、クラッチオン位置とクラッチオフ位置とに、移動させられる。
【００４８】
フレーム１５は、図３及び図４に示すように、第１側板１５ａと、第１側板１５ａと所定の間隔をあけて互いに対向するように配置された第２側板１５ｂと、第１側板１５ａ及び第２側板１５ｂを前後及び下部で一体に連結する複数（例えば、３個）の連結部１５ｃとを、有している。下側の連結部１５ｃには、釣り竿を装着するための釣り竿装着部１５ｄが、一体に形成される。第１側板１５ａの中央部には、スプール軸２０の軸芯Ｃを中心として円形に形成された開口部１５ｅが、形成されている。開口部１５ｅには、軸支持部３５が着脱可能に連結される。
【００４９】
スプールユニット９は、図３及び図４に示すように、主に、スプール１４と、スプール軸２０とから構成される。スプール１４は、スプール軸に一体回転可能に装着される。例えば、スプール１４は、第１側板１５ａと第２側板１５ｂとの間に設けられる。スプール１４は、リール本体１１に回転自在に支持される。
【００５０】
スプール１４は、糸巻き胴部１４ｂと、フランジ部１４ａと、連結部１４ｃと、軸装着部１４ｄとを、有している。糸巻き胴部１４ｂは、円筒状に形成されており、外周部に釣り糸が巻き付けられる。フランジ部１４ａは、糸巻き胴部１４ｂの両端部に設けられる。連結部１４ｃは、糸巻き胴部１４ｂと軸装着部１４ｄとを連結する。連結部１４ｃは、円環状に形成されている。連結部１４ｃは、糸巻き胴部１４ｂと軸装着部１４ｄとに一体に形成されている。
【００５１】
軸装着部１４ｄは、スプール１４をスプール軸２０に装着するための部分である。軸装着部１４ｄは、糸巻き胴部１４ｂの内周部に設けられる。詳細には、軸装着部１４ｄは、連結部１４ｃの内周部において、連結部１４ｃと一体に形成されている。軸装着部１４ｄは、円筒状に形成されている。すなわち、軸装着部１４ｄは、スプール軸２０が挿入される挿入孔６４ｄ（図６を参照）を、有している。軸装着部１４ｄの挿入孔６４ｄには、スプール軸２０が挿通され、スプール１４がスプール軸２０に一体回転可能に装着される。
【００５２】
図５及び図６に示すように、軸装着部１４ｄは、切欠部１１４を有している。切欠部１１４は、軸装着部１４ｄの端部に設けられている。また、切欠部１１４は、スプール軸２０に沿う方向に、切欠かれている。例えば、切欠部１１４は、軸装着部１４ｄの端部において、凹状に切り欠かれている。切欠部１１４例えば凹部は、開口端部１１４ａと、第１当接部１１４ｂと、第２当接部１１４ｃとを、有している。開口端部１１４ａは、スプール軸２０に沿う方向に向けて開口した部分である。第１当接部１１４ｂは、凹状の切欠部１１４において互いに対向した一対の壁部である。第１当接部１１４ｂには、スプール軸２０の回転方向において、突出部が当接する。第２当接部１１４ｃは、凹状の切欠部１１４における底部である。第２当接部１１４ｃには、スプール軸２０に沿う方向において、後述する突出ピン１１６が当接する。
【００５３】
スプール軸２０は、リール本体１１に回転自在に設けられている。スプール軸２０には、スプール１４が装着される。例えば、スプール軸２０は、非磁性金属製である。スプール軸２０は、図３及び図４に示すように、第２側板１５ｂを貫通して第２側カバー１６ｂの外方に延びている。
【００５４】
スプール軸２０は、図４、図５、及び図６に示すように、軸本体部１１５と、突出ピン１１６とを、有している。軸本体部１１５の一端（図４左端）は、軸受３８ａを介して、軸受収納部３５ａに回転自在に支持される。軸本体部１１５の第２側カバー１６ｂの外方に延びる他端（図４右端）は、軸受３８ｂにより、第２側カバー１６ｂに形成されたボス部１６ｄに、回転自在に支持されている。
【００５５】
図４に示すように、軸本体部１１５の中間部には、大径部２０ａが形成されている。大径部２０ａが第２側板１５ｂを貫通する部分には、クラッチ機構２１を構成するクラッチピン２１ａが、径方向に沿って貫通して設けられる。クラッチピン２１ａの両端それぞれは、スプール軸２０の外周面から突出している。
【００５６】
また、図６、図７、及び図８に示すように、大径部２０ａは、被装着部１２０を有している。被装着部１２０は、大径部２０ａの外周部に設けられている。被装着部１２０には、スプール１４の軸装着部１４ｄ（図６を参照）が装着される。より具体的には、被装着部１２０には、軸装着部１４ｄの挿入孔６４ｄに対向して配置される。
【００５７】
被装着部１２０は、スプール軸２０の径方向に設けられたピン装着孔１２０ａ（装着孔の一例）を、有している。例えば、ピン装着孔１２０ａは、スプール軸２０の径方向に貫通した貫通孔である。詳細には、ピン装着孔１２０ａは、後述する被装着部１２０の第２領域Ｒ２において、スプール軸２０の径方向に貫通している。ピン装着孔１２０ａには、突出ピン１１６（突出部の一例）が装着される。突出ピン１１６は、例えば、ピン装着孔１２０ａにカシメ固定される。
【００５８】
図６に示すように、突出ピン１１６は、被装着部１２０（軸本体部１１５の外周部）から外方に突出している。突出ピン１１６は、被装着部１２０における軸本体部１１５の直径より長くなるように、形成されている。突出ピン１１６がピン装着孔１２０ａに装着された状態において、突出ピン１１６の両端部それぞれは、被装着部１２０の外周部から突出している。突出ピン１１６の両端部は、スプール１４の軸装着部１４ｄにおける切欠部１１４に、係合する。
【００５９】
また、図７及び図８に示すように、被装着部１２０は、第１領域Ｒ１と、第２領域Ｒ２と、第３領域Ｒ３とを、有している。第１領域Ｒ１と第２領域Ｒ２と第３領域Ｒ３とには、固定剤例えば接着剤が塗布される。なお、図８では、後述する第１隙間Ｄ１から第３隙間Ｄ３を、実際の隙間よりも拡大して表示している。
【００６０】
第１領域Ｒ１は、スプール１４をスプール軸２０に接着固定するための領域である。第１領域Ｒ１は、被装着部１２０の外周部に環状に形成されている。複数の第１領域Ｒ１、例えば２つの第１領域Ｒ１が、被装着部１２０の外周部において、スプール軸２０に沿う方向に所定の間隔を隔てて、設けられている。また、２つの第１領域Ｒ１は、２つの第２領域Ｒ２の間に設けられている。第１領域Ｒ１と第２領域Ｒ２との間には、段差が形成されている。第１領域Ｒ１の直径は、第２領域Ｒ２の直径より小さい。
【００６１】
第１領域Ｒ１とスプール１４の挿入孔６４ｄとの間には、第１隙間Ｄ１が形成されている。第１隙間Ｄ１には、接着剤が配置される。第１隙間Ｄ１は、後述する第２隙間Ｄ２より大きい。第１隙間Ｄ１は、例えば０．０５ｍｍに設定されている。例えば、接着剤が第１領域Ｒ１と第２領域Ｒ２と第３領域Ｒ３とに塗布された状態で、スプール軸２０をスプール１４の挿入孔６４ｄに挿通することによって、第１隙間Ｄ１には、接着剤が配置される。接着剤が第１隙間Ｄ１に配置される形態については、後述する「３．スプールユニットの組立て及び固定」において、詳細に説明する。
【００６２】
第２領域Ｒ２は、主にスプール１４を半径方向に位置決めするための領域である。第２領域Ｒ２は、接着剤が塗布される領域でもある。第２領域Ｒ２は、被装着部１２０の外周部に環状に形成されている。複数の第２領域Ｒ２、例えば２つの第２領域Ｒ２が、被装着部１２０の外周部において、スプール軸２０に沿う方向に所定の間隔を隔てて、設けられている。詳細には、２つの第２領域Ｒ２は、被装着部１２０の両端部に形成されている。第２領域Ｒ２の直径は、第１領域Ｒ１の直径より大きい。
【００６３】
第２領域Ｒ２とスプール１４の挿入孔６４ｄとの間には、第２隙間Ｄ２が形成されている。第２隙間Ｄ２は、スプール１４を半径方向に位置決めするための第２領域Ｒ２まわりの隙間であるので、微小隙間である。第２隙間Ｄ２には、接着剤が配置される。第２隙間Ｄ２は、第１隙間Ｄ１より小さい。第２隙間Ｄ２は、例えば０．０１ｍｍ以下に設定されている。例えば、接着剤が第１領域Ｒ１と第２領域Ｒ２と第３領域Ｒ３とに塗布された状態で、スプール軸２０をスプール１４の挿入孔６４ｄに挿通することによって、第２隙間Ｄ２には、第１隙間Ｄ１の余剰接着剤を含む接着剤が、配置される。接着剤が第２隙間Ｄ２に配置される形態については、後述する「３．スプールユニットの組立て及び固定」において、詳細に説明する。
【００６４】
第３領域Ｒ３は、主に接着剤が貯留される領域である。第３領域Ｒ３は、接着剤が塗布される領域でもある。例えば、第３隙間Ｄ３には、第１隙間Ｄ１から排出された余剰接着剤が溜められる。第３領域Ｒ３は、被装着部１２０の外周部に環状に形成された環状溝である。第３領域Ｒ３は、２つの第２領域Ｒ２の間に設けられる。より具体的には、第３領域Ｒ３は、２つの第１領域Ｒ１の間に設けられる。第３領域Ｒ３と第１領域Ｒ１との間には、段差が形成されている。第３領域Ｒ３の直径は、第１領域Ｒ１の直径及び第２領域Ｒ２の直径より小さい。
【００６５】
第３領域Ｒ３とスプール１４の挿入孔６４ｄとの間には、第３隙間Ｄ３が、形成されている。第３隙間Ｄ３は、第１隙間Ｄ１より大きい。詳細には、第３隙間Ｄ３は、第１隙間Ｄ１及び第２隙間Ｄ２より大きい。第３隙間Ｄ３には、接着剤が配置される。第３隙間Ｄ３は、例えば０．１５ｍｍに設定されている。例えば、接着剤が第１領域Ｒ１と第２領域Ｒ２と第３領域Ｒ３とに塗布された状態で、スプール軸２０をスプール１４の挿入孔６４ｄに挿通することによって、第３隙間Ｄ３には、第１隙間Ｄ１の余剰接着剤を含む接着剤が、配置される。接着剤が第３隙間Ｄ３に配置される形態については、後述する「３．スプールユニットの組立て及び固定」において、詳細に説明する。
【００６６】
なお、ここでは、第１隙間Ｄ１、第２隙間Ｄ２、及び第３隙間Ｄ３は、スプール軸２０の被装着部１２０（第１領域Ｒ１、第２領域Ｒ２、及び第３領域Ｒ３）の外周面と、スプール１４の挿入孔６４ｄの内周面との間の半径方向距離によって、定義されている。
【００６７】
３．スプールユニットの組立て及び固定
まず、スプール軸２０の被装着部１２０における第１領域Ｒ１と第２領域Ｒ２と第３領域Ｒ３とには、接着剤が塗布される。次に、スプール軸２０が、スプール１４の軸装着部１４ｄの一端側から他端側に向けて、スプール１４の軸装着部１４ｄにおける挿入孔６４ｄに、挿通される。続いて、スプール軸２０の突出ピン１１６（両端部）が、スプール１４の軸装着部１４ｄにおける切欠部１１４に係合される。詳細には、突出ピン１１６は、切欠部１１４の第１当接部１１４ｂ及び第２当接部１１４ｃに当接する。これにより、スプール１４は、スプール軸２０に沿った方向（スプール軸２０の軸方向）、及びスプール軸２０の回転方向において、スプール軸２０に対して位置決めされる。また、この状態では、スプール軸２０の被装着部１２０の両端部すなわち被装着部１２０の第２領域Ｒ２が、軸装着部１４ｄの挿入孔６４ｄの両端部に対向して配置されている。これにより、スプール１４が、スプール軸２０を基準とした半径方向において、スプール軸２０に対して位置決めされる。このため、第２領域Ｒ２まわりの第２隙間Ｄ２は、微小隙間となっている。
【００６８】
また、ここに示したように、接着剤が第１領域Ｒ１と第２領域Ｒ２と第３領域Ｒ３とに塗布された状態で、スプール軸２０が、スプール１４の軸装着部１４ｄにおける挿入孔６４ｄに、挿通される場合、接着剤に作用する剪断力によって、接着剤は第１隙間Ｄ１に均一に満たされる。これにより、第１領域Ｒ１のまわりに形成される第１隙間Ｄ１を、スプール１４の軸装着部１４ｄにおける挿入孔６４ｄとスプール軸２０の被装着部１２０とを接着するための空間（接着空間）として、機能させることができる。また、第１隙間Ｄ１において余剰となった余剰接着剤は、第３隙間Ｄ３に侵入し、第３隙間Ｄ３が満たされる。このように、第３領域Ｒ３のまわりに形成される第３隙間Ｄ３は、接着空間だけでなく、余剰接着剤の貯留空間としても、機能させることができる。さらに、接着剤は、第２領域Ｒ２により塞き止められ、２つの第２領域Ｒ２の間（第１隙間Ｄ１及び第３隙間Ｄ３）に保持される。また、２つの第２領域Ｒ２の間（第１隙間Ｄ１及び第３隙間Ｄ３）において余剰となった余剰接着剤は、第１隙間Ｄ１から第２隙間Ｄ２へと押し出され、第２隙間Ｄ２が満たされる。これにより、第２隙間Ｄ２が接着剤によって均一に満たされる。このように、第２領域Ｒ２のまわりに形成される第２隙間Ｄ２を、接着空間として、機能させることができる。
【００６９】
以上をまとめると、第１隙間Ｄ１は、接着空間として機能する。第２隙間Ｄ２は、第２領域Ｒ２においてスプール軸２０に対してスプール１４を半径方向に位置決めするための空間として、機能し、且つ接着空間として機能する。第３隙間Ｄ３は、接着空間として機能し、且つ第１隙間Ｄ１から侵入した余剰接着剤の貯留空間として、機能する。
【００７０】
このようにして、接着剤が、スプール１４の挿入孔６４ｄとスプール軸２０の被装着部１２０との間に配置され、所定の時間が経過すると、接着剤が固まり、スプール１４がスプール軸２０に固定される。
【００７１】
４．特徴
（Ａ−１）本スプールユニット９は、スプール軸２０と、スプール１４とから構成される。スプール軸２０は、リール本体１１に回転自在に設けられる。スプール１４は、スプール軸２０に装着される。スプールユニット９は、切欠部１１４と、突出ピン１１６とを、有している。切欠部１１４は、スプール１４に設けられる。切欠部１１４は、スプール軸２０に沿う方向に切欠かれている。突出ピン１１６例えば突出ピン１１６の先端部は、スプール軸２０に設けられる。突出ピン１１６は、切欠部１１４に係合する。
【００７２】
本スプールユニット９では、突出ピン１１６が係合する切欠部１１４が、スプール軸２０に沿う方向に切欠かれている。このため、スプール１４をスプール軸２０に装着する場合、スプール軸２０をスプール１４に挿通するだけで、突出ピン１１６を切欠部１１４に容易に係合することができる。すなわち、スプール１４をスプール軸２０に装着する際に、突出ピン１１６と切欠部１１４とを視認しながら係合させることができるので、スプールユニット９を容易に組み立てることができる。
【００７３】
（Ｂ−１）本スプールユニット９では、切欠部１１４が、開口端部１１４ａと、第１当接部１１４ｂと、第２当接部１１４ｃとを、有している。開口端部１１４ａは、スプール軸２０に沿う方向に開口する。第１当接部１１４ｂには、スプール軸２０の回転方向において、突出ピン１１６が当接する。第２当接部１１４ｃには、スプール軸２０に沿う方向において、突出ピン１１６が当接する。
【００７４】
この場合、突出ピン１１６を、開口端部１１４ａから切欠部１１４に挿入し、この突出ピン１１６を第２当接部１１４ｃに当接させることによって、スプール軸２０に沿う方向に対して、スプール１４が位置決めされる。また、この状態において、この突出ピン１１６は、第１当接部１１４ｂによって、スプール軸２０の回転方向に対して位置決めされる。このように、スプール１４をスプール軸２０に対して、容易に位置決めすることができる。
【００７５】
（Ｃ−１）本スプールユニット９では、スプール１４が、スプール軸２０に装着するための軸装着部１４ｄを、有している。スプール軸２０は、軸本体部１１５と、被装着部１２０とを、有している。被装着部１２０は、軸本体部１１５の外周に設けられ、スプール１４が装着される。切欠部１１４は、スプール軸２０に沿う方向において、軸装着部１４ｄの端部に、設けられる。
【００７６】
この場合、切欠部１１４が、スプール軸２０に沿う方向において、スプール１４の軸装着部１４ｄの端部に、設けられているので、スプール１４の軸装着部１４ｄをスプール軸２０の被装着部１２０に装着することによって、突出ピン１１６を切欠部１１４に容易に係合することができる。すなわち、スプールユニット９を容易に組み立てることができる。
【００７７】
（Ｄ−１）本スプールユニット９では、突出ピン１１６が、スプール軸２０の径方向に突出して設けられている。この場合、突出ピン１１６が、スプール軸２０の径方向に突出して設けられているので、スプール軸２０をスプール１４に挿入するだけで、突出ピン１１６を切欠部１１４に容易に係合することができる。すなわち、スプールユニット９を容易に組み立てることができる。
【００７８】
（Ｅ−１）本スプールユニット９では、スプール軸２０がピン装着孔１２０ａを、有している。突出ピン１１６は、ピン装着孔１２０ａに装着された突出ピン１１６である。この場合、突出ピン１１６を、スプール軸２０に設けられたピン装着孔１２０ａに、装着するだけで、突出ピン１１６を容易に形成することができる。
【００７９】
（Ｆ−１）本スプールユニット９では、ピン装着孔１２０ａが、スプール軸２０に設けられる。ピン装着孔１２０ａは、スプール軸２０を径方向に貫通する貫通孔である。突出ピン１１６は、スプール軸２０の直径より長い。突出ピン１１６が貫通孔に装着された状態において、突出ピン１１６の両端部それぞれは、スプール軸２０より突出する。この場合、突出ピン１１６を貫通孔に装着することによって、突出ピン１１６の両端部それぞれが、スプール軸２０より突出するので、突出ピン１１６を容易に形成することができる。
【００８０】
（Ｇ−１）本スプールユニット９では、突出ピン１１６が、ピン装着孔１２０ａにカシメ固定されている。この場合、突出ピン１１６をピン装着孔１２０ａにカシメ固定することによって、他の部材を特別に用意することなく、突出ピン１１６を容易に形成することができる。また、これにより、突出ピン１１６を容易に固定することができる。
【００８１】
＜第２実施形態＞
第２実施形態では、スプール軸２０の構成が、第１実施形態と異なる。スプール軸２０の構成を除く他の構成については、第１実施形態と同じであるので、ここでは説明を省略する。また、第１実施形態と同様の構成については、同じ符号を付している。なお、ここで省略された構成については、第１実施形態の説明に準ずるものとする。
【００８２】
１．スプール軸の構成
図９に示すように、スプール軸２０は、軸本体部１１５と、突出ピン１１６とを、有している。軸本体部１１５例えば大径部２０ａの被装着部１２０は、スプール軸２０の径方向に設けられたピン装着孔１２０ａを、有している。ピン装着孔１２０ａは、被装着部１２０においてスプール軸２０の径方向に設けられた有底穴部である。ピン装着孔１２０ａには、突出ピン１１６（突出部の一例）が装着される。
【００８３】
突出ピン１１６は、軸本体部１１５の外周面から外方に突出している。突出ピン１１６は、被装着部１２０における軸本体部１１５の直径より短く、ピン装着孔１２０ａの深さより長い。突出ピン１１６がピン装着孔１２０ａに装着された状態において、突出ピン１１６の一端部は、スプール軸２０の外周面から突出し、突出ピン１１６の他端部は、ピン装着孔１２０ａの内部に配置されている。例えば、突出ピン１１６は、ピン装着孔１２０ａにカシメ固定される。
【００８４】
２．特徴
（Ａ−２）本スプールユニット９では、突出ピン１１６の一端部だけを突出させるだけであるので、突出ピン１１６をピン装着孔１２０ａに容易に装着することができる。
【００８５】
（Ｂ−２）前記第１実施形態における、上記の（Ｅ−１）を除く（Ａ−１）〜（Ｇ−１）と同様の効果を、得ることができる。
【００８６】
＜第３実施形態＞
第３実施形態では、スプールユニット９の構成が、第１実施形態と異なる。スプールユニット９の構成を除く他の構成については、第１実施形態と同じであるので、ここでは説明を省略する。また、第１実施形態と同様の構成については、同じ符号を付している。なお、ここで省略された構成については、第１実施形態の説明に準ずるものとする。
【００８７】
１．スプールユニットの構成
図１０Ａから図１０Ｃに示すように、スプールユニット９では、主に、スプール１４と、スプール軸２０とから構成される。スプール１４は、糸巻き胴部１４ｂと、フランジ部１４ａと、軸装着部１４ｄを、有している。
【００８８】
軸装着部１４ｄは、装着部本体２１４ａと、折曲部２１４ｂ（突出部の一例）とを、有している。装着部本体２１４ａは、筒状に形成されている。折曲部２１４ｂは、スプール軸２０に沿う方向における装着部本体２１４ａの一端部を、内周側に折り曲げた部分である。言い換えると、折曲部２１４ｂは、装着部本体２１４ａの一端部をスプール軸２０側に向けて部分的に折り曲げることによって、形成されている。折曲部２１４ｂは、第３当接部２１４ｃと、第４当接部２１４ｄとを、有している。第３当接部２１４ｃは、スプール軸２０の回転方向において、切欠部１１４と当接する。第４当接部２１４ｄは、スプール軸２０に沿う方向において、切欠部１１４が当接する。
【００８９】
スプール軸２０は、軸本体部１１５と、溝部１１７と、被装着部１２０とを、有している。溝部１１７は、軸本体部１１５の外周部において、スプール軸２０に沿う方向に設けられている。溝部１１７は、一対の第１壁部１１７ａ（第１当接部の一例）と、第２壁部１１７ｂ（第２当接部の一例）とを、有している。一対の第１壁部１１７ａは、スプール軸２０の回転方向に、互いに対向して設けられている。第２壁部１１７ｂは、一対の第１壁部１１７ａを連結する壁部である。具体的には、第２壁部１１７ｂは、溝部１１７の端部を形成する壁部である。
【００９０】
溝部１１７は、切欠部１１４を含んでいる。切欠部１１４は、溝部１１７において、被装着部１２０に設けられた部分である。切欠部１１４は、スプール軸２０に沿う方向において、スプール軸２０の被装着部１２０の端部に、設けられている。切欠部１１４は、一対の第１当接部１１４ｂ（一対の第１壁部１１７ａの一部）と、第２当接部１１４ｃ（第２壁部１１７ｂ）とを、有している。
【００９１】
図１０Ａ及び図１０Ｃに示すように、第１当接部１１４ｂは、第１壁部１１７ａの一部である。具体的には、第１当接部１１４ｂは、被装着部１２０の端部且つ第１壁部１１７ａの端部に形成されている。第１当接部１１４ｂには、スプール軸２０の回転方向において、折曲部２１４ｂの第３当接部２１４ｃが当接する。第２当接部１１４ｃは、第２壁部１１７ｂである。第２当接部１１４ｃには、スプール軸２０に沿う方向において、折曲部２１４ｂの第４当接部２１４ｄが当接する。
【００９２】
２．特徴
（Ａ−３）スプールユニット９では、切欠部１１４が、スプール軸２０に沿う方向に設けられた溝部１１７の一部である。この場合、スプール１４の折曲部２１４ｂを、スプール軸２０の溝部１１７に沿って移動させ、溝部１１７の端部に係合することによって、スプールユニット９を容易に組み立てることができる。
【００９３】
（Ｂ−３）本スプールユニット９では、切欠部１１４が、第１当接部１１４ｂと、第２当接部１１４ｃとを、有している。第１当接部１１４ｂには、スプール軸２０の回転方向において、折曲部２１４ｂが当接する。第２当接部１１４ｃには、スプール軸２０に沿う方向において、折曲部２１４ｂが当接する。溝部１１７は、第１壁部１１７ａと、第２壁部１１７ｂとを、有している。第１壁部１１７ａは、スプール軸２０の回転方向に設けられている。第２壁部１１７ｂは、スプール軸２０に沿う方向に設けられている。ここで、第１壁部１１７ａは第１当接部１１４ｂを含んでおり、第２壁部１１７ｂは第２当接部１１４ｃを含んでいる。
【００９４】
この場合、折曲部２１４ｂをスプール軸２０の溝部１１７に挿入し、この折曲部２１４ｂを、切欠部１１４の第２当接部１１４ｃ（第２壁部１１７ｂ）に当接させることによって、スプール軸２０に沿う方向に対して、スプール１４が位置決めされる。また、この状態において、この折曲部２１４ｂは、切欠部１１４の第１当接部１１４ｂ（第１壁部１１７ａの一部）によって、スプール軸２０の回転方向に対して位置決めされる。このように、スプール１４をスプール軸２０に対して、容易に位置決めすることができる。
【００９５】
（Ｃ−３）本スプールユニット９では、スプール１４が、スプール軸２０に装着するための軸装着部１４ｄを、有している。折曲部２１４ｂは、スプール軸２０に沿う方向における軸装着部１４ｄの端部が、スプール軸２０に向けて部分的に折り曲げられて、形成されている。この場合、スプール軸２０に沿う方向における軸装着部１４ｄの端部を、スプール軸２０に向けて部分的に折り曲げることによって、突出部を容易に形成することができる。
【００９６】
（Ｄ−３）本スプールユニット９では、折曲部２１４ｂが、第３当接部２１４ｃと、第４当接部２１４ｄとを、有している。第３当接部２１４ｃは、スプール軸２０の回転方向において、切欠部１１４の第１当接部１１４ｂに当接する。第４当接部２１４ｄは、スプール軸２０に沿う方向において、切欠部１１４の第２当接部１１４ｃに当接する。この場合、折曲部２１４ｂの第３当接部２１４ｃが切欠部１１４の第１当接部１１４ｂに当接することによって、スプール軸２０の回転方向に対して、スプール１４が位置決めされる。また、折曲部２１４ｂの第４当接部２１４ｄが切欠部１１４の第２当接部１１４ｃに当接することによって、スプール軸２０に沿う方向に対して、スプール１４が位置決めされる。このように、スプール１４をスプール軸２０に対して、容易に位置決めすることができる。
【００９７】
＜他の実施形態＞
（ａ）前記第１及び第２実施形態では、突出ピン１１６が、カシメされる場合の例を示したが、突出ピン１１６の固定形態は、どのようにしてもよい。例えば、突出ピン１１６を、ピン装着孔１２０ａに接着固定してもよい。また、ピン装着孔１２０ａに雌ねじ部を形成し、突出ピン１１６に雄ネジ部を形成し、突出ピン１１６をピン装着孔１２０ａに螺合固定してもよい。このように構成しても、上記と同様の効果を得ることができる。
【００９８】
（ｂ）前記第１及び第２実施形態では、突出ピン１１６がスプール軸２０に設けられる場合の例を示したが、突出ピン１１６をスプール１４に装着してもよい。この場合、前記第１及び第２実施形態と同様のピン装着孔１２０ａが、スプール１４の軸装着部１４ｄに形成される。また、突出ピン１１６が係合する溝部１１７（切欠部１１４）が、前記第３実施形態のように、スプール軸２０に形成される。このように構成しても、上記と同様の効果を得ることができる。
【産業上の利用可能性】
【００９９】
釣用リール及びスプールユニットに広く利用可能である。
【符号の説明】
【０１００】
９        スプールユニット
１１      リール本体
１４      スプール
１０      両軸受リール
２０      スプール軸
１４      スプール
１４ｄ    軸装着部
６４ｄ    挿入孔
１１４    切欠部
１１４ａ  開口端部
１１４ｂ  第１当接部
１１４ｃ  第２当接部
１１５    軸本体部
１１６    突出ピン
１１７    溝部
１２０    被装着部
１２０ａ  ピン装着孔
２１４ｂ  折曲部
２１４ｃ  第３当接部
２１４ｄ  第４当接部
Ｒ１      第１領域
Ｒ２      第２領域
Ｒ３      第３領域
Ｄ１      第１隙間
Ｄ２      第２隙間
Ｄ３      第３隙間